(57)【特許請求の範囲】
【請求項１】
モータＭの正転または反転により、文字板１０（１１，１２）が上下動作する形式の時計１００において、下記ａ、ｂ、ｃ、ｄ、ｅ、ｆおよびｇを備えたことを特徴とするからくり時計。
ａ：モータＭの回転駆動に連係して駆動力を伝達する複数歯車からなる輪列６を備えること。
ｂ：文字板１０の裏面に一端部２１，３１が回転可能に取付けられる複数のリンク部２０，３０を備えること。
ｃ：前記複数のリンク部２０，３０は、その他端部２２が時計支持板（中板１）に回転可能に取付けられる文字板支持用のリンク部（支持用リンク部２０）と、その他端部３２が前記輪列の終端歯車８に固着される文字板駆動用のリンク部（駆動用リンク部３０）とを備えること。
ｄ：前記文字板１０は、前記文字板支持用のリンク部（支持用リンク部２０）に支持されるとともに、前記文字板駆動用のリンク部（駆動用リンク部３０）によって回転可能に設けられること。
ｅ：前記複数のリンク部２０，３０の前記一端部２１，３１が回転可能に取付けられる箇所における前記文字板１０の裏面に、テーパ面１６ａを設けた突部１６を形成するとともに、前記リンク部２０，３０の前記一端部２１，３１には、前記テーパ面１６ａに当接するテーパ面２５ａ，３５ａを設けた突部２５，３５を形成すること。
ｆ：前記モータＭが正転すると、前記輪列６の前記終端歯車８が回転して、前記文字板駆動用のリンク部（駆動用リンク部３０）を作動させて、前記文字板１０を下降させるようにしたこと。
ｇ：前記モータＭが反転すると、前記輪列６の前記終端歯車８が反転して、前記文字板駆動用のリンク部（駆動用リンク部３０）を作動させて前記文字板１０を上昇させ、当該文字板１０が元の位置に戻った際に、前記リンク部２０，３０の前記突部２５，３５に設けた前記テーパ面２５ａ，３５ａが、文字板１０の前記突部１６に設けた前記テーパ面１６ａに当接するようにしたこと。
【請求項２】
文字板１０は、左右に二分割された一対の文字板（分割文字板１１，１２）であり、これらの文字板（分割文字板１１，１２）における中央の分割部位に対し、前記文字板支持用のリンク部（支持用リンク部２０）および文字板駆動用のリンク部（駆動用リンク部３０）が左右対称に配置されており、さらに前記輪列６の前記終端歯車８に噛合する、当該終端歯車と同形状の補助歯車９が設けられており、前記終端歯車８および補助歯車９が、それぞれ前記一対の文字板駆動用のリンク部（駆動用リンク部３０）に各別に固着されて、前記一対の文字板（分割文字板１１，１２）は前記中央の分割部位に対し左右対称に動作することを特徴とする請求項１記載のからくり時計。
【発明の詳細な説明】
【技術分野】
【０００１】
本発明は、文字板が上下動作する構造のからくり時計に関する。
【背景技術】
【０００２】
一般的なからくり時計において、文字板が上下動作するものが知られている。この種のからくり時計は、例えば正時になると、１枚に組み合わされていた文字板が、複数枚に分割するとともに所定の軸の周りに上下動を伴って回転するもの、重畳的に組み合わされていた複数枚の文字板が、それぞれの軸の周りに回転するもの、或いは、文字板の一部が上下動を伴って回転するものなどが案出されている（特許文献１〜４）。
【０００３】
上述の文字板が回転する構造のからくり時計は、一つのモータを駆動源として、これを複数の歯車からなる輪列を用い、モータの正転および反転で、一つの文字板或いは各個の分割文字板を駆動するのが一般的である。
【先行技術文献】
【特許文献】
【０００４】
【特許文献１】特開２００１−１５３９７１号公報
【特許文献２】特開２００４−０２８９７２号公報
【特許文献３】特開２００４−０３７３１９号公報
【特許文献４】特開２０１３−０２４８３１号公報
【発明の概要】
【発明が解決しようとする課題】
【０００５】
上述した文字板が上下動する構造のからくり時計において、文字板の上下駆動にリンク部材を用いることが知られている。この場合、リンク部材は、文字板を駆動させるもの（駆動用リンク部）と、その文字板の駆動を保持するもの（支持用リンク部）が用いられるところ、文字板が閉まった位置におけるリンク部材（駆動用リンク部および支持用リンク部）とこれに係合する文字板との間に、文字板の開閉動作、とりわけ開動作がスムーズに行われるように、アガキ（ガタツキ）を設けている。
【０００６】
ところが、上述したアガキは、文字板が閉まった際に、文字板とリンク部材との間に、前後および左右方向のガタツキを許容するため、文字板の自重でリンク部材が斜めに偏位することがある。このようにリンク部材が偏位すると、文字板の動作開始の際に、文字板の動作に不具合を生じるおそれがある。
【０００７】
本発明は、文字板が上下動する構造のからくり時計において、文字板の上昇下降により生じ得るリンク部材の動作の不具合を回避することができるからくり時計を提案するものである。
【課題を解決するための手段】
【０００８】
本願第１請求項に記載した発明は、実施例で用いた符号を付して記すと、モータＭの正転または反転により、文字板１０（１１，１２）が上下動作する形式の時計１００において、下記ａ、ｂ、ｃ、ｄ、ｅ、ｆおよびｇを備えたことを特徴とするからくり時計である。
ａ：モータＭの回転駆動に連係して駆動力を伝達する複数歯車からなる輪列６を備えること。
ｂ：文字板１０の裏面に一端部２１，３１が回転可能に取付けられる複数のリンク部２０，３０を備えること。
ｃ：前記複数のリンク部２０，３０は、その他端部２２が時計支持板（中板１）に回転可能に取付けられる文字板支持用のリンク部（支持用リンク部２０）と、その他端部３２が前記輪列の終端歯車８に固着される文字板駆動用のリンク部（駆動用リンク部３０）とを備えること。
ｄ：前記文字板１０は、前記文字板支持用のリンク部（支持用リンク部２０）に支持されるとともに、前記文字板駆動用のリンク部（駆動用リンク部３０）によって回転可能に設けられること。
ｅ：前記複数のリンク部２０，３０の前記一端部２１，３１が回転可能に取付けられる箇所における前記文字板１０の裏面に、テーパ面１６ａを設けた突部１６を形成するとともに、前記リンク部２０，３０の前記一端部２１，３１には、前記テーパ面１６ａに当接するテーパ面２５ａ，３５ａを設けた突部２５，３５を形成すること。
ｆ：前記モータＭが正転すると、前記輪列６の前記終端歯車８が回転して、前記文字板駆動用のリンク部（駆動用リンク部３０）を作動させて、前記文字板１０を下降させるようにしたこと。
ｇ：前記モータＭが反転すると、前記輪列６の前記終端歯車８が反転して、前記文字板駆動用のリンク部（駆動用リンク部３０）を作動させて前記文字板１０を上昇させ、当該文字板１０が元の位置に戻った際に、前記リンク部２０，３０の前記突部２５，３５に設けた前記テーパ面２５ａ，３５ａが、文字板１０の前記突部１６に設けた前記テーパ面１６ａに当接するようにしたこと。
【０００９】
本願第２請求項に記載した発明は、請求項１において、文字板１０は、左右に二分割された一対の文字板（分割文字板１１，１２）であり、これらの文字板（分割文字板１１，１２）における中央の分割部位に対し、前記文字板支持用のリンク部（支持用リンク部２０）および文字板駆動用のリンク部（駆動用リンク部３０）が左右対称に配置されており、さらに前記輪列６の前記終端歯車８に噛合する、当該終端歯車と同形状の補助歯車９が設けられており、前記終端歯車８および補助歯車９が、それぞれ前記一対の文字板駆動用のリンク部（駆動用リンク部３０）に各別に固着されて、前記一対の文字板（分割文字板１１，１２）は前記中央の分割部位に対し左右対称に動作することを特徴とするからくり時計である。
【発明の効果】
【００１０】
本願第１請求項に記載した発明において、例えば正時にからくり動作が開始して、モータが正転すると、これに連係する輪列が駆動し、終端歯車が回転する。同時に、終端歯車に固着されている駆動用リンク部が回動し、この駆動用リンク部により文字板が下降する。文字板の下降に伴い、文字板の突部に設けたテーパ面と、リンク部の突部に設けたテーパ面は離反して行く。
【００１１】
そして、文字板が下降した後にモータが反転すると文字板が上昇し、さらに文字板が元の位置に戻った際に、リンク部の突部に設けたテーパ面が、文字板の突部に設けたテーパ面に当接するので、リンク部の動きが規制され、これにより文字板の上昇下降により生じ得るリンク部材の動作の不具合を回避することができる。
【００１２】
また、本願第２請求項に記載した発明のように、文字板が左右に二分割された一対の文字板として、これらの文字板における中央の分割部位に対し、前記文字板支持用のリンク部および文字板駆動用のリンク部を左右対称に配置し、さらに前記輪列の前記終端歯車に噛合する、当該終端歯車と同形状の補助歯車を設けて、前記終端歯車および補助歯車が、それぞれ前記一対の文字板駆動用のリンク部に各別に固着されて、前記一対の文字板が左右対称に動作するように構成すると、からくり効果の著効性も一層高まるものとなる。
【図面の簡単な説明】
【００１３】
【図１】本発明の実施例に係り、からくり時計を示す正面図（分割文字板が正規位置）である。
【図２】本発明の実施例に係り、からくり時計を示す正面図（分割文字板が３時、９時の位置）である。
【図３】本発明の実施例に係り、からくり時計を示す正面図（分割文字板が６時の位置）である。
【図４】本発明の実施例に係り、時計筐体を示す正面図（分割文字板が正規位置）である。
【図５】本発明の実施例に係り、時計筐体を示す正面図（分割文字板が３時、９時の位置）である。
【図６】本発明の実施例に係り、時計筐体を示す正面図（分割文字板が６時の位置）である。
【図７】本発明の実施例に係り、分割文字板の回転軌跡を示す図である。
【図８】本発明の実施例に係り、時計支持板（地板）に設けたモータユニットおよび輪列を正面方向から見た図である。
【図９】本発明の実施例に係り、時計支持板（地板）に設けたモータユニットおよび輪列を背面方向から見た図である。
【図１０】本発明の実施例に係り、時計支持板（中板）に設けた文字板（分割文字板）を正面方向から見た図である。
【図１１】本発明の実施例に係り、文字板（分割文字板）にリンク部（支持用リンク部および駆動用リンク部）を取付けた状態を示す斜視図である。
【図１２】本発明の実施例に係り、文字板（分割文字板）にリンク部（支持用リンク部）の一端部を取付け前の状態を示す分解斜視図である。
【図１３】本発明の実施例に係り、文字板（分割文字板）にリンク部（支持用リンク部および駆動用リンク部）の一端部を取付け前の状態を示す分解斜視図である。
【図１４】本発明の実施例に係り、文字板（分割文字板）にリンク部（支持用リンク部および駆動用リンク部）の一端部を取付けた状態を示す一部縦断斜視図である。
【図１５】本発明の実施例に係り、駆動用リンク部の他端部を終端歯車および補助歯車に固着した箇所（図面の下端部）を示す斜視図である。
【図１６】本発明の実施例に係り、文字板（分割文字板）のテーパ面とリンク部（支持用リンク部および駆動用リンク部）のテーパ面が当接している状態を示す斜視図である。
【発明を実施するための最良の形態】
【００１４】
以下に、本発明の実施例を図面に基づいて説明する。
【００１５】
本例における時計１００のからくり構造は、図１〜図７に示すように、例えば正時にモータＭが正転して、文字板１０（１１，１２）が上下動作するものである。すなわち、本例の文字板１０は、左右に二分割された一対の文字板（分割文字板１１，１２）であり、これらの分割文字板１１，１２は、図１および図４に示す位置から、それぞれ左右に拡開しながら（図２および図５）半円弧状の軌跡（図７の矢印参照）を辿って下方へ移動し、下方で合体する（図３および図６）。爾後、この軌跡を辿って上方へ移動し、再び当初の位置に復帰するように構成されている。なお、図中、符号３は時計筐体、符号４は装飾体である。
【００１６】
モータＭの駆動力は、図８〜図１０に示すように、モータＭおよびモータユニット５に連係する輪列６、連係歯車７、終端歯車８に駆動伝達される。そして、文字板１０（１１，１２）の上下動作は、後述する駆動用リンク部３０を介して、行われる。なお、本例の場合は、さらに、終端歯車８に噛合する当該終端歯車と同形状の補助歯車９を用いて、各々別に分割文字板１１，１２の上下動作が行われる。
【００１７】
文字板１０（１１，１２）は、文字板支持用のリンク部たる支持用リンク部２０によって上述した半円弧状の軌跡を確実に辿るように保持されている。そして、分割文字板１１，１２には、中央の分割部位に対し、支持用リンク部２０および駆動用リンク部３０が左右対称に配置されている。これにより、分割文字板１１，１２は、中央の分割部位に対し、左右対称に動作する。
【００１８】
図１１〜図１４に示すように、支持用リンク部２０は、その一端部２１が、文字板１０（１１，１２）の裏面に回転可能に取付けられる。同様に、駆動用リンク部３０も、その一端部３１が文字板１０（１１，１２）の裏面に回転可能に取付けられる。
【００１９】
本例の場合、文字板１０（１１，１２）の裏面に、リング状に突出する外側リング部１３と、内側リング部１４、中央にボス部１５を形成している。そして、これに対応させて、支持用リンク部２０の一端部２１と駆動用リンク部３０の一端部３１にはそれぞれ外側リング部２３，３３、内側リング状突出部２４，３４を形成し、これらの間にプーリ５０を装着して、座付きネジ６０で、文字板１０（１１，１２）と、支持用リンク部２０の一端部２１および駆動用リンク部３０の一端部３１とを、回転可能に結合している。
【００２０】
支持用リンク部２０の他端部２２は、時計支持板（中板１）に設けたボス部（図示を省略）に回転可能に取付けられる。また、駆動用リンク部３０の他端部３２は、図１５に示すように、終端歯車８または補助歯車９の中央部に固着される。
【００２１】
さらに本例では、図１２〜図１４および図１６に示すように、複数のリンク部２０，３０の前記一端部２１，３１が回転可能に取付けられる箇所における文字板１０の裏面に、テーパ面１６ａを設けた突部１６を形成している。また、リンク部２０，３０の前記一端部２１，３１には、文字板１０の前記テーパ面１６ａに当接するテーパ面２５ａ，３５ａを設けた突部２５，３５を形成している。
【００２２】
上記のように構成される本例の時計１００において、例えば正時に図示を省略した制御部から駆動信号が送られて、モータＭが正転すると、これに連係する輪列６および連係歯車７が駆動し、終端歯車８と補助歯車９が回転する。同時に、終端歯車８および補助歯車９に固着されている駆動用リンク部３０が回動し、この駆動用リンク３０により文字板１０（１１，１２）が半円弧の軌跡を形成して下降する。文字板１０の下降に伴い、文字板１０の突部１６に設けたテーパ面１６ａと、リンク部２０，３０の突部２５，３５に設けたテーパ面２５ａ，３５ａは離反して行く。
【００２３】
モータＭが反転すると、輪列６の終端歯車８が反転して、文字板駆動用のリンク部（駆動用リンク部３０）を作動させて文字板１０を上昇させ、当該文字板１０が元の位置に戻った際に、リンク部２０，３０の突部２５，３５に設けたテーパ面２５ａ，３５ａが、文字板１０の突部１６に設けた前記テーパ面１６ａに当接する。
【００２４】
このように、文字板が下降した後にモータが反転すると文字板が上昇し、さらに文字板が元の位置に戻った際に、リンク部の突部に設けたテーパ面が、文字板の突部に設けたテーパ面に当接するので、リンク部の動きが、前後および左右方向において規制され、これにより文字板の上昇下降により生じ得るリンク部材の動作の不具合を回避することができるようになる。
【００２５】
さらに、本例のように、分割文字板１１，１２に、支持用リンク部２０および駆動用リンク部３０を左右対称に配置し、さらに終端歯車８と補助歯車９を設けて、分割文字板１１，１２が左右対称に偏心回転動作するように構成した場合は、からくり効果の著効性も一層高まるものとなる。
【産業上の利用可能性】
【００２６】
本発明のからくり時計は、リンク部材を設けてもその動作の不具合を回避できて動作の安定化に優れ、また、からくり効果にも優れたものであり、壁掛け時計などの時計一般に好適に利用することができるものである。
【符号の説明】
【００２７】
１    時計支持板（中板）
２    時計支持板（地板）
３    時計筐体
４    装飾体
５    モータユニット
６    輪列
７    連係歯車
８    終端歯車
９    補助歯車
１０    文字板
１１    分割文字板
１２    分割文字板
１３    外側リング部
１４    内側リング部
１５    ボス部
１６    突部
１６ａ    テーパ面
２０    支持用リンク部
２１    一端部
２２    他端部
２３    外側リング部
２４    内側リング状突出部
２５    突部
２５ａ    テーパ面
３０    駆動用リンク部
３１    一端部
３２    他端部
３３    外側リング部
３４    内側リング状突出部
３５    突部
３５ａ    テーパ面
５０    プーリ
６０    座付きネジ
１００    時計
Ｍ    モータ
【図１】
0006448577.tif 000002
【図２】
0006448577.tif 000003
【図３】
0006448577.tif 000004
【図４】
0006448577.tif 000005
【図５】
0006448577.tif 000006
【図６】
0006448577.tif 000007
【図７】
0006448577.tif 000008
【図８】
0006448577.tif 000009
【図９】
0006448577.tif 000010
【図１０】
0006448577.tif 000011
【図１１】
0006448577.tif 000012
【図１２】
0006448577.tif 000013
【図１３】
0006448577.tif 000014
【図１４】
0006448577.tif 000015
【図１５】
0006448577.tif 000016
【図１６】
0006448577.tif 000017